(57)【要約】【課題】より簡単な構造で配光設計が容易でありながら、白熱電球と同等の広い配光角を有することにより、白熱電球に代替可能な照明装置を提供する。【解決手段】本発明に係る照明装置は、複数の発光素子１１１が発光素子基板１１３に環状に配置された発光モジュール１１０と、筐体１３０と、発光素子基板１１３に保持され、発光素子１１１から出射された光を反射させるリフレクタ１４０と、発光モジュール１１０およびリフレクタ１４０を覆うように設けられるグローブ１５０と、を備え、リフレクタ１４０は、逆錐台状であり、逆錐台の側周面に発光素子１１１から出射された光を反射させる反射面１４１を有し、グローブ１５０は、反射面１４１の傾きに沿った傾斜面１５１ａを有するグローブ頸部１５１と、グローブ頸部１５１に連設される略半球状のグローブ頭部１５３とからなる。【選択図】図２
2013127879.tif 000002
【特許請求の範囲】
【請求項１】
光を出射する発光素子と、複数の前記発光素子が環状に配置される発光素子基板とを有する発光モジュールと、
前記発光素子基板を基準として、前記環の中心軸方向の一側に設けられ、中空で略筒状の筐体と、
前記発光素子基板における前記一側とは反対側の他側の面に保持され、前記発光素子から出射された光を反射させるリフレクタと、
前記発光モジュールおよび前記リフレクタを覆うように設けられ、前記筐体の最大径よりも大きな最大径を有するグローブと、
を備え、
前記リフレクタは、前記発光素子基板から離隔するに従い拡径する錐台状となるように前記発光素子基板の前記他側の面から突出して設けられ、前記錐台の側周面に前記発光素子から出射された光を反射させる反射面を有し、
前記グローブは、
前記筐体に接続され、前記反射面の傾きに沿った傾斜面を有するグローブ頸部と、
前記グローブ頸部に連設される略半球状のグローブ頭部と、
からなることを特徴とする、照明装置。
【請求項２】
前記リフレクタの前記反射面と前記グローブの前記傾斜面とが略平行であることを特徴とする、請求項１に記載の照明装置。
【請求項３】
前記グローブの素材が蛍光体を含有する材料であるか、または、前記グローブの表面に蛍光体が塗布されており、
前記発光素子が、前記グローブに設けられた蛍光体を励起する光を発光するＬＥＤであることを特徴とする、請求項１または２に記載の照明装置。
【請求項４】
前記グローブの素材がさらに光拡散材を含有する材料であるか、または、前記グローブの表面にさらに光拡散材が塗布されていることを特徴とする、請求項３に記載の照明装置。
【請求項５】
前記グローブの素材が光拡散材を含有する材料であるか、または、前記グローブの表面に光拡散材が塗布されており、
前記発光素子が、白色光を発するＬＥＤであることを特徴とする、請求項１または２に記載の照明装置。
【請求項６】
前記リフレクタの前記環の中心軸方向の長さｄ１が、前記グローブ頸部の前記環の中心軸方向の長さｄ２よりも長いことを特徴とする、請求項１〜５のいずれか１項に記載の照明装置。
【請求項７】
前記リフレクタを該リフレクタの拡径方向から前記発光素子基板へ投影した場合に、該投影領域内に前記発光素子の少なくとも一部が存在することを特徴とする、請求項１〜６のいずれか１項に記載の照明装置。
【発明の詳細な説明】
【技術分野】
【０００１】
本発明は、ＬＥＤ（Ｌｉｇｈｔ  Ｅｍｉｔｔｉｎｇ  Ｄｉｏｄｅ）等の発光素子を用いた照明装置に関する。
【背景技術】
【０００２】
近年、省エネルギー化を図るために、白熱電球の代替品として、半導体発光素子としてＬＥＤを用いたＬＥＤ照明装置の開発が盛んに行われている（例えば、特許文献１を参照）。
【０００３】
このような照明装置では、光源として指向性の強いＬＥＤを使用しているため、限られた方向にしか配光させることができない。一方、白熱電球は、口金等で影になる領域を除き、ほぼ全方向に配光させることができため、ほぼ全方向に配光させることが必要な照明装置のような用途では、ＬＥＤ照明装置を白熱電球の代替品として使用することは困難である。そこで、ＬＥＤ照明装置の分野では、配光性を向上させる（配光角を広くする）ための技術が各種提案されている。
【０００４】
例えば、「２０１１年照明学会全国大会  講演番号１−５（以下、「照明学会発表」と称する。）」では、白色ＬＥＤと反射部材と、拡散性の高い樹脂グローブとを有し、配光角を広げるために後方への反射部材を用い、かつ、配光の均一性を得るために第２の反射部材と開口部を設けたＬＥＤ電球が発表されている。
【０００５】
また、特許文献２には、基台に複数の発光モジュールが搭載された照明用光源であって、この基台が、第１基台部と、第１基台部の上面の一部の領域から逆錐台状に突出している第２基台部とから構成される照明用光源及びこれを用いた照明器具が開示されている。特許文献２の照明用光源では、第２基台部の側面が光反射面を構成しており、発光モジュールから出射された光をこの光反射面に反射させることで、配光角を広くすることができるとされている。
【先行技術文献】
【特許文献】
【０００６】
【特許文献１】特開２０１１−１３４５６８号公報
【特許文献２】特開２０１０−  ８６９４６号公報
【発明の概要】
【発明が解決しようとする課題】
【０００７】
しかしながら、上記照明学会発表におけるＬＥＤ電球は、２つの反射面と１つの開口部を有する複雑な構造を有している。従って、ＬＥＤ（発光素子）からグローブへ光が到達するまでの過程が複雑となるため配光設計が困難であり、また、コストも上昇するものと考えられる。
【０００８】
また、特許文献２の照明用光源及び照明器具では、第２基台部の側面で反射した光により、ある程度は配光角を広げることはできるものの、その構造上、発光モジュールから出射した光を後方（口金方向）まで放射させることは困難であり、配光性が十分とはいえない。また、仮に、特許文献２の照明器具でグローブを拡散性の高い素材にしたとしても、光を後方まで放射させるためには、グローブの拡散性を相当高くしなくてはならないが、このように拡散性を高くすると光の透過率も低下するため、グローブ内部の発光モジュール等が透けて見えてしまう、という問題もある。
【０００９】
そこで、本発明は、上記現状に鑑みてなされたものであって、より簡単な構造で配光設計が容易でありながら、白熱電球と同等の広い配光角を有することにより、白熱電球に代替可能な照明装置を提供することを目的とする。
【課題を解決するための手段】
【００１０】
上記課題を解決するために、本発明のある観点によれば、光を出射する発光素子と、複数の前記発光素子が環状に配置される発光素子基板とを有する発光モジュールと、前記発光素子基板を基準として、前記環の中心軸方向の一側に設けられ、中空で略筒状の筐体と、前記発光素子基板における前記一側とは反対側の他側の面に保持され、前記発光素子から出射された光を反射させるリフレクタと、前記発光モジュールおよび前記リフレクタを覆うように設けられ、前記筐体の最大径よりも大きな最大径を有するグローブと、を備え、前記リフレクタは、前記発光素子基板から離隔するに従い拡径する錐台状となるように前記発光素子基板の前記他側の面から突出して設けられ、前記錐台の側周面に前記発光素子から出射された光を反射させる反射面を有し、前記グローブは、前記筐体に接続され、前記反射面の傾きに沿った傾斜面を有するグローブ頸部と、前記グローブ頸部に連設される略半球状のグローブ頭部と、からなる、照明装置が提供される。
【００１１】
ここで、前記照明装置において、前記リフレクタの前記反射面と前記グローブの前記傾斜面とが略平行であることが好ましい。
【００１２】
また、前記照明装置において、前記グローブの素材が蛍光体を含有する材料であるか、または、前記グローブの表面に蛍光体が塗布されており、前記発光素子が、前記グローブに設けられた蛍光体を励起する光を発光するＬＥＤであることが好ましい。
【００１３】
また、前記照明装置において、前記グローブの素材がさらに光拡散材を含有する材料であるか、または、前記グローブの表面にさらに光拡散材が塗布されていてもよい。
【００１４】
また、前記照明装置において、前記グローブの素材が光拡散材を含有する材料であるか、または、前記グローブの表面に光拡散材が塗布されており、前記発光素子が、白色光を発するＬＥＤであってもよい。
【００１５】
また、前記照明装置において、前記リフレクタの前記環の中心軸方向の長さｄ１が、前記グローブ頸部の前記環の中心軸方向の長さｄ２よりも長いことが好ましい。
【００１６】
また、前記照明装置において、前記リフレクタを該リフレクタの拡径方向から前記発光素子基板へ投影した場合に、該投影領域内に前記発光素子の少なくとも一部が存在することが好ましい。
【発明の効果】
【００１７】
本発明によれば、より簡単な構造で配光設計が容易でありながら、白熱電球と同等の広い配光角を有することにより、白熱電球に代替可能な照明装置を提供することが可能となる。
【図面の簡単な説明】
【００１８】
【図１】本発明の好適な実施形態に係る照明装置の全体構成を示す上面図（ａ）及び正面図（ｂ）である。
【図２】同実施形態に係る照明装置を図１（ａ）のＩＩ−ＩＩ線で切断した断面図である。
【図３】同実施形態に係るリフレクタの構成を示す一部切欠き斜視断面図である。
【図４】同実施形態に係る発光モジュールの構成を示す斜視図である。
【図５】同実施形態に係る照明装置における光の動きを示す説明図である。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
［１．照明装置の構成］
まず、図１〜図４を参照しながら、本発明の好適な実施形態に係る照明装置の構成について詳細に説明する。図１は、本発明の好適な実施形態に係る照明装置１００の全体構成を示す上面図（ａ）及び正面図（ｂ）である。図２は、同実施形態に係る照明装置１００を図１（ａ）のＩＩ−ＩＩ線で切断した断面図である。図３は、本実施形態に係るリフレクタ１４０の構成を示す一部切欠き斜視断面図である。図４は、本実施形態に係る発光モジュール１１０の構成を示す斜視図である。
【００２１】
図１及び図２に示すように、本実施形態に係る照明装置１００は、発光モジュール１１０と、筐体１３０と、リフレクタ１４０と、グローブ１５０と、放熱板１７０と、を主に有する。
【００２２】
（発光モジュール１１０）
発光モジュール１１０は、発光素子１１１と発光素子基板１１３とを有し、照明装置１００の光源となる部材である。
【００２３】
発光素子１１１は、ＬＥＤ（Ｌｉｇｈｔ  Ｅｍｉｔｔｉｎｇ  Ｄｉｏｄｅ）等の半導体発光素子であり、光を出射する。この発光素子１１１の発光色は、後述するグローブ１５０の構成材料により異なる。具体的には、グローブ１５０が蛍光体を含有した材料（樹脂等）で構成される場合、発光素子１１１は、上記蛍光体を励起する光を発光するＬＥＤ（例えば、青色ＬＥＤ）であり、グローブ１５０において光の波長が変換され、白色となる。一方、グローブ１５０が光拡散材を含有した材料（樹脂等）で構成される場合、発光素子１１１の発光色は白色（６５００Ｋ〜２０００Ｋ）である。発光素子１１１から出射された光は、後述するリフレクタ１４０で反射して、あるいは直接グローブ１５０に到達し、グローブ１５０で拡散されて外部に放射される。
【００２４】
また、図４に示すように、発光素子１１１は、本実施形態では複数用意され、これら複数の発光素子１１１が、発光素子基板１１３の一方の面上に環状に配置される。ここでいう「環状」とは、図４に示すような円形の環状だけでなく、楕円形の環状、多角形の環状も含む概念である。
【００２５】
発光素子基板１１３は、発光素子１１１が実装される基板であり、好ましくは、アルミニウム、ニッケル等の金属や、ガラスコンポジット（ＣＥＭ３）や、セラミック等の熱伝導性の高い材料で形成される。これにより、発光モジュール１１０で発生した熱を効率よく筐体１３０に伝達でき、照明装置１００の放熱効率を向上させることができる。発光素子基板１１３の形状は特に限定されるものではないが、上述したＡＮＳＩ規格を満たすためには、略円形状または略多角形状であることが好ましい。
【００２６】
また、発光素子基板１１３は、リフレクタ１４０の底部と、筐体１３０の上部（または放熱板１７０）とにより挟持されることにより、位置が固定される。
【００２７】
（筐体１３０）
筐体１３０は、発光素子を駆動させるための駆動回路（図示せず。）が収納される筐体としての機能を有する。本実施形態では、筐体１３０の中空の本体部の内部に、駆動回路を設置することができる。
【００２８】
また、筐体１３０は、その一端（図１及び図２の下端）で口金（図示せず。）と接続されるとともに、発光モジュール１１０で発生した熱と、駆動回路で発生した熱を外部に放出する、所謂ヒートシンクとしての機能を有する。この放熱機能を実現するために、筐体１３０は、熱伝導性の高い樹脂で形成される。本実施形態において、筐体１３０が、金属ではなく樹脂で形成されているのは、照明装置１００を軽量化するためであり、また、樹脂は絶縁性であることから、口金と接続された際のかしめ部分に絶縁対策を施す必要がないためである。従って、照明装置１００の重量増が問題とならない場合には、筐体１３０の材質として、アルミニウムや銅などの金属材料を使用してもよい。ただし、筐体１３０を金属材質とした場合には、口金のかしめ部分に絶縁対策を施す必要がある。
【００２９】
また、放熱効果を更に高めるために、筐体１３０の表面に、凹部や複数のフィンなどが設けられることにより、筐体１３０の表面積を大きくすることが好ましい。
【００３０】
この点、本実施形態では、筐体１３０は、両端に開口部１３０ａ、１３０ｂを有する中空の略筒状の本体部の外周面に、複数のフィン１３９が設けられている。この複数のフィン１３９を有することにより、筐体１３０の外部に露出した面の表面積（熱を放散するのに用いられる面の面積）が大きくなり、放熱効果を高めることができる。なお、放熱効果を高めるための構成は、このようなフィン１３９のみならず、例えば、筐体１３０の本体部の外周面に、複数の凹部（図示せず。）を有するような構成であってもよい。
【００３１】
また、筐体１３０は、発光素子基板１１３を基準として、発光素子１１１の配置により構成される環の中心軸方向の一側（発光素子１１１が配置されていない方の面側）に設けられる。これにより、筐体１３０は、駆動回路や発光モジュール１１０で発生した熱を外部に放出することができる。
【００３２】
さらに、本実施形態では、筐体１３０は、樹脂１３１と、この樹脂１３１内部に挿入された金属部材１３３とで構成されている。そして、筐体１３０は、樹脂１３１と金属部材１３３とが一体でインサート成形されることにより得られるものである。これは、樹脂１３１だけであると、アルミニウムや銅などの金属と比較するとやや熱伝導性が低いため、さらに熱伝導性を高めるために、アルミニウムや銅などの金属部材１３３を挿入したものである。従って、発光モジュール１１０や駆動回路の性能により発熱が抑制されるなどして、放熱効果が十分である場合には、金属部材１３３を挿入する必要はない。
【００３３】
また、金属部材１３３を挿入する場合には、発光モジュール１１０で発生した熱が、筐体１３０に伝達されやすくなるようにするために、放熱板１７０（放熱板１７０が設置されない場合には、発光素子基板１１３）と接触するように、金属部材１３３を配置することが好ましい。
【００３４】
（リフレクタ１４０）
リフレクタ１４０は、発光素子基板１１３の面のうちの発光素子１１１が配置された面（以下、「発光素子１１１側の面」と称する。）に保持され、発光素子１１１から出射された光を反射させる。本実施形態におけるリフレクタ１４０は、高い光反射性を有する材料で構成され、発光素子１１１からの光を口金方向（筐体１３０がある側の方向）に反射させ、照明装置１００の配光角を口金方向に広げる機能を有する。
【００３５】
このような機能を実現するために、リフレクタ１４０は、図２及び図３に示すような逆錐台状、すなわち、発光素子基板１１３から離隔するに従い拡径する錐台状となるように、発光素子基板１１３の発光素子１１１側の面から突出して設けられている。また、錐台状のリフレクタ１４０の側周面は、発光素子１１１から出射された光を反射される反射面１４１となっている。従って、この反射面１４１のみが、高い光反射性を有する材料で構成され、他の部分が光反射性を有しない材料で構成されていてもよい。
【００３６】
また、図２の矢印Ｓに示すように、リフレクタ１４０を該リフレクタ１４０の拡径方向（図２に示す例では、リフレクタ１４０の鉛直方向上方）から発光素子基板１１３へ投影した場合に、該投影領域内に発光素子１１１の少なくとも一部が存在することが好ましい。リフレクタ１４０と発光素子１１１との位置関係を上記のようにすることにより、発光素子１１１から出射された光の多くをリフレクタ１４０の反射面１４１に当てることができ、これにより、口金方向への光の放射割合を増やすことができる。従って、照明装置１００における配光角をより広げることができる。
【００３７】
（グローブ１５０）
グローブ１５０は、発光モジュール１１０およびリフレクタ１４０を覆うように略球状に設けられ、発光素子１１１から出射された光、または、リフレクタ１４０で反射された光の色（発光素子１１１の発光色）を制御する役割、及び、これらの光をグローブ１５０の表面上で拡散させることで照明装置１００の配光角を広くする役割を有する。
【００３８】
グローブ１５０は、発光素子１１１の発光色を制御する役割を実現するために、発光素子１１１の発光色に応じて、蛍光体や光拡散材を含んでいる。具体的には、発光素子１１１が、青色で発光するＬＥＤである場合には、グローブ１５０の素材が蛍光体を含有する材料か、または、グローブ１５０の表面に蛍光体が塗布されている。例えば、グローブ１５０が樹脂からなる場合には、この樹脂中に蛍光顔料を含有させるようにしてもよく、グローブ１５０がガラス材料からなる場合には、このグローブの表面に蛍光塗料を塗布するようにしてもよい。そして、リフレクタ１４０で反射され、あるいは、発光素子１１１から出射され、グローブ１５０に到達した光の波長が、グローブ１５０の蛍光体により変換され、白色の発光となる。
【００３９】
ここで、蛍光体による発光は、光拡散度が大きいことから、リフレクタ１４０で反射された光の配光分布が不十分であっても、蛍光体による発光の際の光拡散で、良好な配光分布を得ることが可能となる。従って、従来のように、配光角を広げるために、グローブを拡散性の高い材質で形成した結果、光の透過率が低下して、グローブ内部の発光モジュール等の部材が透けて見えてしまう、という問題も解消することができる。また、青色ＬＥＤと蛍光体とを組み合わせることにより、自然光に近い色で発光させることができるようになる。
【００４０】
さらに、照明装置１００の配光角をより広げるために、グローブ１５０の素材が、蛍光体に加えてさらに光拡散材を含有する材料であるか、または、グローブ１５０の表面に、蛍光体に加えてさらに光拡散材が塗布されていてもよい。
【００４１】
一方、発光素子１１１が、白色光を発するＬＥＤである場合には、グローブ１５０の素材が光拡散材を含有する材料であるか、または、グローブ１５０の表面に光拡散材が塗布されていてもよい。この場合にも、光拡散材により、発光素子１１１から出射された光、または、リフレクタ１４０で反射された光が、グローブ１５０の表面で拡散され、照明装置１００の配光角を広げることができる。
【００４２】
また、照明装置１００の配光角を広くするためには、図２に示すように、グローブ１５０の最大径Ｄ１は、筐体１３０の最大径Ｄ２よりも大きいことが必要である。グローブ１５０の最大径Ｄ１に対して、筐体１３０の最大径Ｄ２が大きすぎると、グローブ１５０表面から口金方向に放射された光が、筐体１３０によって遮られてしまう領域が広くなるため、口金方向の光の配光角が小さくなってしまう。
【００４３】
ここで、図１及び図２に示すように、本実施形態におけるグローブ１５０は、グローブ頸部１５１とグローブ頭部１５３の２つの部分からなっている。これらグローブ頸部１５１とグローブ頭部１５３とは、物理的に別体として形成されていてもよく、一体形成されていてもよい。
【００４４】
＜グローブ頸部１５１＞
グローブ頸部１５１は、グローブ１５０のうち、筐体１３０に接続される側の部分であり、リフレクタ１４０の反射面１４１の傾きに沿った傾斜面１５１ａを有している。このように、グローブ頸部１５１が、リフレクタ１４０の反射面１４１に沿った傾きを有する傾斜面１５１ａを有することにより、発光素子１１１から出射されて反射面１４１で反射された光が、グローブ頸部１５１に到達しやすくなるため、口金方向へ配光される光の量を増加させることができる。このような効果は、特に、リフレクタ１４０の反射面１４１と、グローブ頸部１５１の傾斜面１５１ａとが略平行である場合に顕著となる。従って、リフレクタ１４０の反射面１４１と、グローブ頸部１５１の傾斜面１５１ａとは、略平行であることが好ましい。
【００４５】
また、図２に示すように、上述したリフレクタ１４０の発光素子１１１が配置されてなる環の中心軸方向の長さｄ１が、グローブ頸部１５１の中心軸方向の長さｄ２よりも長いことが好ましい。リフレクタ１４０とグローブ頸部１５１の形状と位置関係が上記のようになっていることにより、発光素子１１１から出射された光がグローブ頸部１５１の傾斜面１５１ａに到達する割合を増やすことができるので、口金方向へ配光される光の量を増加させることができる。
【００４６】
なお、グローブ頸部１５１の底部（グローブ頭部１５３と接続されている側とは反対側の端部）には開口部（図示せず。）が設けられており、グローブ頸部１５１は、この開口部において筐体１３０と接続される。
【００４７】
＜グローブ頭部１５３＞
グローブ頭部１５３は、グローブ頸部１５１に連設される略半球状の部分である。このグローブ頭部１５３は、主に、発光素子１１１から出射され、リフレクタ１４０には当たらずに直接グローブ１５０に到達する光を拡散させる。前述したグローブ頸部１５１が口金方向へ配光される光の量を増やす役割を有するのに対し、このグローブ頭部１５３は、グローブ１５０の頂部方向へ配光される光の量を増やす役割を有している。
【００４８】
＜その他＞
グローブ１５０の表面には、光を拡散可能な構造が設けられていてもよい。光を拡散可能な構造としては、例えば、グローブ１５０表面に形成される凹凸面などが考えられる。この場合の凹凸面は、ランダムな構造であってもよいし、規則的な構造であってもよい。
【００４９】
（放熱板１７０）
放熱板１７０は、発光素子基板１１３と筐体１３０の双方に接触するように設けられ、主に、発光モジュール１１０で発生した熱を筐体１３０に伝達する役割を有する。この放熱板１７０は、上記熱伝達の役割を実現するために、アルミニウムや銅などの熱伝導性の高い金属で構成される。
【００５０】
また、放熱板１７０には、図示しないリフレクタ１４０の位置ずれ防止ピンが設けられていてもよく、この場合には、放熱板１７０は、上記の熱伝達の役割のみならず、発光素子基板１１３、リフレクタ１４０、グローブ１５０の位置の基準となる役割をも有する。
【００５１】
なお、照明装置１００の放熱効率が十分に高く、また、発光素子基板１１３、リフレクタ１４０、グローブ１５０の位置決め精度が確保できれば、放熱板１７０は、必ずしも設けられていなくてもよい。
【００５２】
［２．照明装置の作用効果］
次に、図５を参照しながら、本実施形態に係る照明装置１００の作用効果、すなわち、配光性の向上（広配光化）効果について説明する。図５は、本実施形態に係る照明装置１００における光の動きを示す説明図である。
【００５３】
本実施形態に係る照明装置１００では、図５に示すように、発光素子１１１から出射された光は、主に、４種類の経路を通る。第１の経路は、発光素子１１１から直接グローブ頸部１５１に到達する経路（Ｌ１）であり、第２の経路は、発光素子１１１からリフレクタ１４０の反射面１４１で反射され、グローブ頸部１５１に到達する経路（Ｌ２）であり、第３の経路は、発光素子１１１からリフレクタ１４０の反射面１４１で反射され、グローブ頭部１５３に到達する経路（Ｌ３）であり、第４の経路は、発光素子１１１から直接グローブ頭部１５３に到達する経路（Ｌ４）である。
【００５４】
第１の経路を通る場合は、発光素子１１１から出射された光Ｌ１は、リフレクタ１４０に当たらずに、直接グローブ頸部１５１に入射し、グローブ頸部１５１の表面で拡散される。拡散光Ｌ１’は、様々な方向（主に、水平方向より口金方向側）に拡散される。上述したように、発光素子１１１が青色ＬＥＤであり、グローブ１５０が蛍光体を含有するか、グローブ１５０表面に蛍光体が塗布されている場合には、光拡散度が大きいため、拡散光Ｌ１’は、より広い範囲に拡散される。また、グローブ１５０が光拡散材を含有するか、グローブ１５０の表面に光拡散材が塗布されている場合にも、拡散光Ｌ１’の拡散範囲を広げることができる（以下同様）。
【００５５】
第２の経路を通る場合は、発光素子１１１から出射された光Ｌ２は、リフレクタ１４０の反射面１４１で反射され、反射光Ｌ２が、グローブ頸部１５１に入射して、グローブ頸部１５１の表面で拡散される。拡散光Ｌ２’は、様々な方向に放射される。
【００５６】
ここで、リフレクタ１４０が、上述したように逆錐台状の形状を有しているとともに、グローブ頸部１５１がリフレクタ１４０の反射面１４１に沿った傾斜面１５１ａを有し、かつ、グローブ１５０の最大径Ｄ１が、筐体１３０の最大径Ｄ２よりも大きいことから、発光素子１１１から出射された光が第１及び第２の経路を通る場合には、発光素子１１１から出射された光を口金方向へ放射することができる。すなわち、リフレクタ１４０が、発光素子基板１１３から離隔する（口金方向とは逆の方向にいく）に従って拡径する逆錐台状の形状をしており、このリフレクタ１４０の側周面が光反射面１４１となっていることから、発光素子１１１から出射された光Ｌ２を、光反射面１４１により水平方向より口金方向側に反射させることができ、この反射光Ｌ２をグローブ頸部１５１でさらに拡散させることができる。この拡散の際、グローブ１５０の最大径Ｄ１が、筐体１３０の最大径Ｄ２よりも大きいために、筐体１３０が、グローブ頸部１５１表面で拡散した拡散光Ｌ１’、Ｌ２’を遮らないため、水平方向より口金方向側のより広い範囲に、拡散光Ｌ１’、Ｌ２’を放射することができる。また、グローブ頸部１５１が有する傾斜面１５１ａが、反射面１４１に沿って、発光素子基板１１３から離隔するに従って拡径する形状をしていることから、グローブ頸部１５１に到達した光Ｌ１，Ｌ２を水平方向より口金方向側に配光させやすくなる。特に、リフレクタ１４０の反射面１４１と、グローブ頸部１５１の傾斜面１５１ａとが略平行である場合には、光Ｌ２をグローブ頸部１５１に到達させやすいため、口金方向側への配光をより増やすことができる。
【００５７】
また、第３の経路を通る場合は、発光素子１１１から出射された光Ｌ３は、リフレクタ１４０の反射面１４１で反射され、反射光Ｌ３が、グローブ頭部１５３に入射して、グローブ頭部１５３の表面で拡散される。拡散光Ｌ３’は、様々な方向に放射される。
【００５８】
第４の経路を通る場合は、発光素子１１１から出射された光Ｌ４は、リフレクタ１４０に当たらずに、直接グローブ頭部１５３に入射し、グローブ頭部１５３の表面で拡散される。この場合も、拡散光Ｌ４’は、様々な方向に拡散される。
【００５９】
ここで、発光素子１１１から出射された光が第１及び第２の経路を通る場合には、水平方向よりもグローブ１５０の頂部方向（口金方向とは逆の方向）側への光の拡散量が少ない。しかし、発光素子１１１から出射された光が第３及び第４の経路を通ることにより、水平方向よりもグローブ１５０の頂部方向側への光の拡散量を十分に確保することができる。
【００６０】
以上説明したように、本実施形態に係る照明装置１００では、発光素子１１１から出射された光が、４種類の経路を通ることから、広い配光角を実現することができる。具体的には、照明装置１００では、例えば、配光角３００ｄｅｇの範囲で、発光強度差を±１０％以内という非常に高い配光性を実現することができ、白熱電球と同等の性能を有し、白熱電球の代替品として照明装置１００を使用することが可能となる。
【００６１】
上記の広配光化の効果は、リフレクタ１４０の発光素子１１１が配置されてなる環の中心軸方向の長さｄ１が、グローブ頸部１５１の中心軸方向の長さｄ２よりも長い場合に、特に顕著となる。発光素子１１１がＬＥＤ等の半導体素子である場合には、指向性が強いため、発光素子１１１から出射された光は、上記第３の経路（Ｌ３）及び第４の経路（Ｌ４）をとりやすくなる。しかし、リフレクタ１４０の発光素子１１１が配置されてなる環の中心軸方向の長さｄ１が、グローブ頸部１５１の中心軸方向の長さｄ２よりも長い場合には、発光素子１１１から出射された光が、第２の経路（Ｌ２）を取りやすくなるため、水平方向より口金方向側への配光を増やすことができる。従って、より広い範囲で安定して大きな光量となるように、配光設計することが容易となる。
【００６２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６３】
例えば、上述した実施形態では、発光素子基板１１３、リフレクタ１４０、グローブ１５０、および放熱板１７０の、中心軸Ｃに対して直交する方向に切断したときの断面形状を円形としたが、本発明はかかる例に限定されない。例えば、上記各部材の断面形状は、多角形や楕円形であってもよい。
【００６４】
また、上述した実施形態では、発光素子基板１１３に複数の発光素子１１１を環状に配置して構成される１つの発光素子群のみを設けているが、本発明はかかる例に限定されない。例えば、発光素子基板１１３に、同心円状に複数の発光素子群を設けてもよい。
【符号の説明】
【００６５】
１００    （電球型）照明装置
１１０    発光モジュール
１１１    発光素子
１１３    発光素子基板
１３０    下部ヒートシンク
１３１    樹脂
１３３    金属部材
１４０    リフレクタ
１４１    反射面
１５０    グローブ
１５１    グローブ頸部
１５１ａ    傾斜面
１５３    グローブ頭部
１７０    放熱板
【図１】
2013127879.tif 000003
【図２】
2013127879.tif 000004
【図３】
2013127879.tif 000005
【図４】
2013127879.tif 000006
【図５】
2013127879.tif 000007